(57)【要約】【課題】簡単な構造で、一つの光源からの光により、路面などを照射するとともに他の部分を照射することができる照明ユニットを提供すること。【解決手段】車両ドアに装着される照明ユニット１０は、光源１と、光源１からの光の一部分を車両ドアの下方に投射する投射系２と、光源１からの光の他の部分を他方向に照射する照射系を有する。投射系２は光源１から投影フィルム４を介した光の一部分を導光して、車両ドアの下方に被投影画像を投影する。照射系は、車両ドアの側面に設けられ、光源１からの光を拡散する光拡散照明部を有する。照明ユニット１０は、光源１からの光を導光する光学系を支持する筒部材１８を備え、筒部材１８は光学系の光軸の側方側の面に設けられた透光部を有し、照射系の光拡散照明部は透光部の近傍に設けられ、筒部材の透光部を介した光を拡散するように構成されている。【選択図】  図４
2015221657.tif 000002
【特許請求の範囲】
【請求項１】
車両ドアに装着される照明ユニットであって、
光源と、
前記光源からの光の一部分を前記車両ドアの下方に投射する投射系と、
前記光源からの光の他の部分を他方向に照射する照射系と、を有することを特徴とする
照明ユニット。
【請求項２】
投影可能な被投影画像を有する投影フィルムを有し、
前記投射系は、前記光源から前記投影フィルムを介した光の一部分を導光して、前記車両ドアの下方に前記被投影画像を投影することを特徴とする請求項１記載の照明ユニット。
【請求項３】
前記照射系は、前記車両ドアの側面に設けられ、前記光源からの光を拡散する光拡散照明部を有することを特徴とする請求項１又は２記載の照明ユニット。
【請求項４】
前記光源からの光を導光する光学系を支持する筒部材を有し、
前記筒部材は、前記光学系の光軸の側方側の面に設けられた透光部を有し、
前記照射系の光拡散照明部は、前記透光部の近傍に設けられ、前記筒部材の前記透光部を介した光を拡散することを特徴とする請求項３記載の照明ユニット。
【請求項５】
前記光源からの光を導光する光学系を支持する筒部材を有し、
前記光学系は、光学レンズ系と、前記光学レンズ系を介した光の一部分を屈曲させて前記車両ドアの下方に導くとともに、他の光を透過して前記筒部材の近傍に設けられた前記光拡散照明部に導く光学素子を備えることを特徴とする請求項３記載の照明ユニット。
【請求項６】
前記照射系は、前記光源からの光を前記車両ドアの内装部材に導光する導光部を有することを特徴とする請求項１乃至５の何れか１項記載の照明ユニット。
【請求項７】
前記光源は、前記車両ドアを開放した状態で点灯することを特徴とする請求項１乃至６の何れか１項記載の照明ユニット。
【請求項８】
請求項１乃至７何れか１項記載の照明ユニットを有する車両ドア。
【請求項９】
請求項８記載の車両ドアを有する車両。
【発明の詳細な説明】
【技術分野】
【０００１】
本発明は、自動車などの車両に設けられる照明ユニット、車両ドア、および車両に関するものである。
【背景技術】
【０００２】
自動車のドアの車室内側に取り付けられたカーテシランプが知られている（例えば、特許文献１参照）。このカーテシランプは、ドア開放時、光源からの光を光拡散板などで拡散し、乗降者の足元の路面や地面などを照らすとともに、車両の後方にドアの開放を報知する。
【先行技術文献】
【特許文献】
【０００３】
【特許文献１】特開２００５−２８０６５７号公報
【発明の概要】
【発明が解決しようとする課題】
【０００４】
しかしながら、特許文献１に記載のカーテシランプは、光源からの光を拡散板などで拡散し、拡散光により路面などを照明しているので、路面の視認性が良好でない場合があった。
【０００５】
また、カーテシランプなどの照明装置において、ドア開放時に、路面を照らすだけでなく、文字、画像、ロゴ、模様、色、情報などを路面などに投影する簡単な構造の照明装置が望まれている。
しかしながら、例えば、照明装置に第１の光源と第２の光源を設け、第１の光源からの光を拡散板で照明光として用い、第２の光源からの光により路面などに画像などを照射するように構成した場合、その照明装置は２つの光源を要する。この照明装置では、消費電力が大きい、複雑な構造である、などの問題がある。
【０００６】
また、車両ドアには緩衝材やドアポケットなどが設けられており、カーテシランプの設置スペースが限られている。このため、比較的小型の照明装置が望まれている。
【０００７】
本発明は、上記事情に対処することを課題の一例とするものである。すなわち、車両ドア開放時、簡単な構造で、一つの光源からの光により、路面などを照射するとともに他の部分を照射することができる照明ユニットを提供すること、簡単な構成で、文字、画像、ロゴ、模様、色、情報などを路面などに投射することができる照明ユニットを提供すること、照明ユニットを備えた車両ドアを提供すること、その車両ドアを備えた車両を提供すること、などが本発明の目的である。
【課題を解決するための手段】
【０００８】
このような目的を達成するために、本発明の照明ユニットは、以下の構成を少なくとも具備するものである。
車両ドアに装着される照明ユニットであって、
光源と、
前記光源からの光の一部分を前記車両ドアの下方に投射する投射系と、
前記光源からの光の他の部分を他方向に照射する照射系と、を有することを特徴とする。
【０００９】
また、本発明の車両ドアは、上記本発明の照明ユニットを有することを特徴とする。
【００１０】
また、本発明の車両は、上記本発明の車両ドアを有することを特徴とする。
【発明の効果】
【００１１】
本発明によれば、照明ユニットは、車両ドア開放時、簡単な構造で、一つの光源からの光により路面などを投射するとともに他の部分を照射することができる。
また、本発明によれば、照明ユニットは、簡単な構成で、文字、画像、ロゴ、模様、色、情報などを車両ドアの下方の路面などに投射することができる。
また、本発明によれば、照明ユニットを備えた車両ドアを提供することができる。
また、本発明によれば、車両ドアを備えた車両を提供することができる。
【図面の簡単な説明】
【００１２】
【図１】本発明の一実施形態に係る照明ユニットを装着した車両の一例を示す図。
【図２】照明ユニットを装着した車両ドアの一例を示す断面図。
【図３】本発明の第１実施形態に係る照明ユニットの一例を示す斜視図。
【図４】照明ユニットの本体部の断面図。
【図５】図４に示した照明ユニットのＡ−Ａ線に沿った断面図。
【図６】光拡散照明部側から視認した照明ユニットの側面図。
【図７】照明ユニットの底面図。
【図８】車両ドアのドアトリムに装着された照明ユニットの一例を示す断面図。
【図９】投影フィルムおよびフィルムカートリッジの一例を示す分解斜視図。
【図１０】照明ユニットのカバー部材の一例を説明するための図。
【図１１】照明ユニットのカバー部材の他の例を説明するための図。
【図１２】本発明の第２実施形態に係る照明ユニットの本体部の一例を示す断面図。
【図１３】照明ユニットの他の一例を示す斜視図。
【図１４】図１３の照明ユニットの他の一例を示す上面図。
【図１５】図１３の照明ユニットを説明するための図。
【図１６】図１３の照明ユニットの一部断面図。
【図１７】本発明の第３実施形態に係る照明ユニットの一例を示す斜視図。
【図１８】図１７の照明ユニットのスポット光射出側から視認した一例を示す斜視図。
【図１９】図１７の照明ユニットの照射系の光拡散照明部側から視認した一例を示す斜視図。
【図２０】図１７の照明ユニットの模式図。
【図２１】図１７の照明ユニットの透過斜視図。
【図２２】図１７の照明ユニットを装着した車両ドアの一例を示す断面図。
【発明を実施するための形態】
【００１３】
本発明の実施形態の照明ユニットは、車両ドアなどに装着され、光源と、光源からの光の一部分を車両ドアの下方に投射する投射系と、その光源からの光の他の部分を他方向に照射する照射系と、を有する。光源は車両ドアの開放時に点灯するように構成されている。
投射系は、ＬＥＤなどの光源からの光の一部分を路面の局所領域にスポット光を投射する投影光学系を有する。投射系により、乗降者の足元を鮮明に照らすことができる。つまり、路面などの視認性が良好となる。
照射系は、光源からの光を拡散する光拡散照明部などを有する。この光拡散照明部は、拡散光により乗降者の足元の路面などを照らすとともに、車両後方に車両ドアの開放を報知する。
【００１４】
また、本発明の一実施形態に係る照明ユニットは、文字、画像、ロゴ、模様、色、情報などの投影可能な被投影画像を有する投影フィルムを有する。投射系は、光源から投影フィルムを介した光の一部分を導光して、車両ドアの下方に被投影画像を投影する投影光学系を有する。車両ドア開放時、投射系は、投影光学系により、光源から投影フィルムを介した光の一部分を導光して、所望の文字、画像、ロゴ、模様、色、情報などを路面などに投影し、結像させることができる。
投影フィルムは、照明ユニットの本体部に対して交換自在に構成されている。所望の文字や画像などの情報を示す被投影画像を有する投影フィルムを照明ユニットに装着することで、所望の文字や画像などの情報を路面などに投影させることができる。投影フィルムには、例えば、娯楽性を有する文字、画像、ロゴ、模様、色、情報などが形成されていてもよい。また、ユーザは、コンピュータやプリンタなどにより、所望の文字、画像、ロゴ、模様、色、情報などを有する投影フィルムを作成してもよい。
【００１５】
以下、図面を参照しながら、本発明の実施形態を説明する。本発明の実施形態は図示の内容を含むが、これのみに限定されるものではない。なお、以後の各図の説明で、既に説明した部位と共通する部分は同一符号を付して重複説明を一部省略する。
【００１６】
図１は、本発明の一実施形態に係る照明ユニット１０を装着した車両１００の一例を示す図である。図１は車両１００の車両ドア１０１を開放した状態を示す。本発明に係る照明ユニット１０を採用したカーテシランプを説明する。
【００１７】
車両ドア１０１の車室内側に照明ユニット１０が装着されている。詳細には、照明ユニット１０は、車両ドア１０１の内装部材であるドアトリム１０２の側面の下端付近に設けられている。本実施形態では、照明ユニット１０は、ドアトリム１０２のドアポケット１０５の近傍に設けられている。
【００１８】
車両ドア開放時、照明ユニット１０の光源が点灯し、ＬＥＤなどの光源からの光を投射系により路面９０にスポット状に投射する。また、一つの光源からの光を光拡散照明部により拡散して、乗降者の足元の路面９０などを照らすとともに、車両後方に車両ドア１０１の開放を報知する。
また、照明ユニット１０は、投射系の投影光学系を有し、車両ドア開放時、一つの光源から投影フィルムを介した光の一部分を導光して、文字、画像、ロゴ、模様、色、などの情報９１を路面９０などに結像させることができる。
【００１９】
図２は照明ユニット１０を装着した車両ドア１０１の一例を示す断面図である。
車両ドア１０１は、ドアトリム１０２の側面の下端付近に凹部１０２ａが設けられている。凹部１０２ａには孔部１０２ｂが設けられている。照明ユニット１０は凹部１０２ａの孔部１０２ｂに着脱自在に係合して装着されている。照明ユニット１０の装着位置の近傍には、ドアポケット１０５などが配置されている。また、ドアトリム１０２の内側には緩衝材（不図示）などが設けられ、照明ユニット１０の設置スペースが限られる場合であっても、本発明に係る照明ユニット１０は小型であり、小さい設置スペースであっても容易に装着可能に構成されている。
【００２０】
照明ユニット１０は光を拡散する光拡散照明部３１を有する。この光拡散照明部３１は、一般的なカーテシランプとして機能する。本実施形態では、光拡散照明部３１は、車両ドア１０１のドアトリム１０２の形状に対応するように、断面屈曲形状に形成されている。照明ユニット１０の本体部１０ａから射出された光ＬＡは、光拡散照明部３１により拡散され、光拡散照明部３１全体または一部分から拡散光ＬＤとして射出される。また、照明ユニット１０の本体部１０ａからの光の一部分は、車両ドア１０１の真下方向または下方斜め方向に投射され、スポット光ＬＳとなる。
【００２１】
図３は本発明の第１実施形態に係る照明ユニット１０の一例を示す斜視図である。図４は照明ユニット１０の本体部１０ａの断面図である。図５は図４に示した照明ユニット１０のＡ−Ａ線に沿った断面図である。図６は光拡散照明部３１側から視認した照明ユニット１０の側面図である。図７は照明ユニット１０の底面図である。図８は車両ドアのドアトリムに装着された照明ユニット１０の一例を示す断面図である。
【００２２】
照明ユニット１０の本体部１０ａは、鏡筒としての筒部材１８を有する。筒部材１８には、ＬＥＤなどの光源１を備えた基板１８１、投影光学系、照明系などが設けられている。また、筒部材１８には、光源１に電気的に接続されたコネクタ部材１９（接続端子）が設けられている。コネクタ部材１９は、車両の電源に接続可能に構成されている。
【００２３】
筒部材１８の近傍には、光拡散照明部３１が設けられている。光拡散照明部３１は、本体部１０ａの筒部材１８に対して一つまたは複数の支持部３２により支持されている。また、筒部材１８には、係合部３３が設けられている。この係合部３３は、車両ドアのドアトリムの穴部に係合するように形成されている。詳細には、筒部材１８には、ドアトリムの穴部に係止する係合部３３ａと係合部３３ｂが設けられている。
【００２４】
本実施形態では、筒部材１８の側面に透光部１８ｓが設けられている。光源からの光の一部分は筒部材１８の透光部１８ｓを介して光拡散照明部３１に照射される。光拡散照明部３１は、筒部材１８の内部から透光部１８ｓを介して出射された光を拡散して、ドアの外部に拡散光ＬＤを出射するように構成されている。
【００２５】
図４に示したように、照明ユニット１０は、光源１と、集光レンズ系１１と、反射光学素子１２と、投影フィルム１３と、投影フィルム１３を収容する収容体であるフィルムカートリッジ１４と、投影レンズ系２１と、反射光学素子１５と、などを有する。本実施形態では、投影光学系は、集光レンズ系１１、反射光学素子１２、投影レンズ系２１、反射光学素子１５などを有する。本実施形態では、投射系２は、集光レンズ系１１、反射光学素子１２、投影レンズ系２１、および反射光学素子１５などを有する。
【００２６】
光源１としては、ＬＥＤなどの光源を採用することができる。
集光レンズ系１１は、光源１から射出された光を集光して後段に出力する。本実施形態では、集光レンズ系１１は、光源１から射出された光を平行光、又は、略平行光に変換して後段に出力する。本実施形態では、集光レンズ系１１は、凸レンズなどの光学レンズ１１１と光学レンズ１１２を有する。
【００２７】
反射光学素子１２は、集光レンズ系１１から出力された光を反射面１２ｋで、集光レンズ系１１の光軸と異なる方向に反射して出力する。反射光学素子１２としては、プリズムやミラーなどを採用することができる。本実施形態では、反射光学素子１２は、集光レンズ系１１から出力された光を反射面１２ｋで、集光レンズ系１１の光軸に対して直角方向に反射して出力する。
【００２８】
反射光学素子１２と投影レンズ系２１の間に、投影フィルム１３が設けられている。投影フィルム１３は投影可能な被投影画像を有する。投影フィルム１３は、フィルムカートリッジ１４により収容され、筒部材１８に着脱自在に装着されている。
【００２９】
投影レンズ系２１は、光源１から集光レンズ系１１、反射光学素子１２，投影フィルム１３を介して出力された光を、路面などの局所領域に投射するスポット光ＬＳとして出力する。本実施形態では、投影レンズ系２１は複数の光学レンズ、詳細には、光学レンズ２１１，２１２，２１３，２１４を有し、光軸ＡＸに沿って並んで配置された状態で、筒部材１８内に収容されている。
【００３０】
本実施形態では、投影レンズ系２１の後段に、反射光学素子１５を備える。反射光学素子１５は、投影レンズ系２１から出力された光を反射面１５ｋで、投影レンズ系２１の光軸ＡＸと異なる方向に反射して、筒部材１８の開口部１８ｈから出力する。本実施形態では、反射光学素子１５は、投影レンズ系２１から出力された光を反射面１５ｋで、投影レンズ系２１の光軸ＡＸに対して直角方向に反射して出力する。
【００３１】
上記照明ユニット１０は、反射光学素子１２，反射光学素子１５などを有し、投影レンズ系２１の光軸ＡＸに直交する方向の大きさが比較的小さい。つまり、照明ユニット１０は、小型に構成されている。
【００３２】
照射系３は、本実施形態では、投影レンズ系２１からの光を光拡散照射部に出力する。
本実施形態では、図５に示したように、照明ユニットの本体部１０ａの筒部材１８は、投影レンズ系の光軸ＡＸの側方側の面１８ｐに、透光部１８ｓを有する。詳細には、筒部材１８の近傍に光拡散照明部３１が設けられており、筒部材１８の側面の光拡散照明部３１側に透光部１８ｓが設けられている。
【００３３】
図５に示した例では、筒部材１８は、側面のうち光拡散照明部３１側に透光部１８ｓが設けられ、それ以外の部分に遮光部１８ｔが設けられている。照射系３の光拡散照明部３１は、透光部１８ｓの近傍に設けられ、筒部材１８の透光部１８ｓを介した光を拡散し、拡散光ＬＤを出力するように構成されている。透光部１８ｓは、照明ユニットの使用環境に応じて適宜規定の透光率に設定されている。
【００３４】
例えば、筒部材内の側面が遮光部のみで形成された比較例の筒部材の場合、比較例の筒部材内に配置された投影レンズ系などにより反射された光の一部分または全部が、遮光部により吸収され、光エネルギーのロスとなる。
【００３５】
本発明の実施形態では、筒部材１８内に配置された投影レンズ系などにより反射された光の一部分が、筒部材１８の透光部１８ｓを介して筒部材１８の外部に配置された光拡散照明部３１で拡散され、照射系３の照明光としての拡散光ＬＤとなる。つまり、本発明の実施形態では、筒部材１８の遮光部１８ｔによる光エネルギーのロスが小さい。すなわち、比較例の筒部材の遮光部で吸収されてしまう光を、本発明の実施形態の照明ユニットは、照射系３の拡散光ＬＤに変換して照射している。
【００３６】
上述した本実施形態の照明ユニット１０は、光源１と、光源１からの光の一部分を車両ドアの下方に投射する投射系２と、光源１からの光の他の部分を他方向に照射する照射系３とを有し、光源１からの光を導光する投影レンズ系２１などの光学系を支持する筒部材１８を有する。筒部材１８は、光学系の光軸の側方側の面に設けられた透光部１８ｓを有する。照射系３の光拡散照明部３１は、透光部１８ｓの近傍に設けられ、筒部材１８の透光部１８ｓを介した光を拡散するように構成されている。
【００３７】
また、本実施形態では、図６，図７に示したように、照射系３の光拡散照明部３１は、フィルムカートリッジ１４用の孔部３１ｈと、投射系のスポット光ＬＳ用の孔部３１ｇを有する。孔部３１ｇは、フィルムカートリッジ１４に対応した形状、本実施形態では矩形状に形成されている。孔部３１ｇは、略円形状に形成されている。
光拡散照明部３１は、入射した光を拡散させて拡散光ＬＤとして出力する構造を有する。光拡散照明部３１には、小型の凸形状などのレンズ３１ｒが並べて形成されていてもよい。また、光拡散照明部３１としては、規定の拡散板を採用することができる。
本実施形態では、筒部材１８の透光部からの光は、光拡散照明部３１の筒部材１８の透光部近傍の領域３１ｅに照射され、拡散光ＬＤを出力する。光拡散照明部３１は、照射面全体から拡散光ＬＤを略均一の光強度で照射するように構成されていてもよいし、筒部材１８の透光部近傍の領域３１ｅで大きい光強度分布の拡散光ＬＤを照射するように構成されていてもよい。
【００３８】
照明ユニット１０は、図８に示したように、車両ドア１０１のドアトリム１０２の凹部１０２ａに形成された孔部１０２ｂに着脱自在に装着するように構成されている。
詳細には、照明ユニット１０の係合部３３である係合部３３ａ，３３ｂは、ドアトリム１０２の孔部１０２ｂの縁部に形成された被係合部１０２ｃに係合自在に構成されている。照明ユニット１０がドアトリム１０２の凹部１０２ａに装着された場合、光拡散照明部３１の照射面は、ドアトリム１０２の表面と略同一面上に位置するように構成されている。
【００３９】
図９は投影フィルム１３およびフィルムカートリッジ１４の一例を示す分解斜視図である。
本実施形態では、投影フィルム１３は、フィルムカートリッジ１４に収容されて、照明ユニットの本体部に容易に着脱自在に構成されている。フィルムカートリッジ１４は、光源からの光を通過する孔部を有する。詳細には、フィルムカートリッジ１４の本体部１４ａは、リング状の固定部材１４５を嵌合する凹部１４ｂと、凹部１４ｂの中央部に形成された孔部１４ｈと、ユーザなどにより把持される把持部１４ｃと、などを有する。リング状の固定部材１４５には孔部１４５ｈが形成されている。投影フィルム１３は、フィルムカートリッジ１４の本体部１４ａと固定部材１４５との間に配置される。
投影フィルム１３には投影可能な被投影画像が形成されている。被投影画像としては、文字１３ａ、画像１３ｂ、画像１３ｃ、ロゴ、模様、色など情報を挙げることができる。
このように、フィルムカートリッジ１４は、複数種類の投影フィルム１３を容易に交換自在に構成されている。
【００４０】
図１０は照明ユニット１０のカバー部材の一例を説明するための図である。
照明ユニット１０は、筒部材１８の内部に埃や塵などの異物の侵入を防止する透光性のカバー部材３１０を有してもよい。図１０に示したカバー部材３１０は、筒部材１８内の反射光学素子１５の射出側の筒部１８ｃの端部付近に設けられている。この場合、筒部１８ｃの内側面に形成された溝１８ｄにカバー部材３１０が装着されている。
【００４１】
図１１は、照明ユニット１０のカバー部材の他の例を説明するための図である。
図１１に示した例では、光拡散照明部３１の照射面のうち、筒部材１８に形成された反射光学素子１５の射出側近傍部分に、カバー部材３１０として、非光拡散性の透光部３１０ｂが設けられている。光拡散照明部３１の透光部３１０ｂを介してスポット光ＬＳが射出される。透光部３１０ｂは光拡散照明部３１と一体形成されていてもよい。
このように、光拡散照明部３１はスポット光ＬＳを透光する透光部３１０ｂを有するので、簡単な構成で、筒部材１８の内部に埃や塵などの異物の侵入を防止することができる。
【００４２】
図１２は本発明の第２実施形態に係る照明ユニット１０Ｂの本体部１０ａの一例を示す断面図である。第２実施形態について、第１実施形態との相違点を説明する。
本実施形態では、照明ユニット１０Ｂは、光源からの光を導光する光学系を支持する筒部材１８を有する。この光学系は、光学レンズ系としての投影レンズ系２１と、投影レンズ系２１を介した光の一部分を屈曲させて車両ドアの下方に導くとともに、他の光を透過して筒部材１８の近傍に設けられた光拡散照明部に導く光学素子（反射光学素子１５Ｂ，反射光学素子１６）を備える。
【００４３】
詳細には、第２実施形態の照明ユニット１０Ｂにおいて、投影レンズ系２１の後段の反射光学素子１５Ｂはプリズムにより構成されている。反射光学素子１５Ｂは半透過反射面１５ｔを有する。また、本実施形態の照明ユニット１０Ｂは反射光学素子１６を有する。図１２に示した照明ユニット１０Ｂでは、投影レンズ系２１と反射光学素子１６の間に、反射光学素子１５Ｂが配置されている。
【００４４】
光源１から射出された光は、集光レンズ系１１の光学レンズ１１１，１１２、反射光学素子１２、投影フィルム１３、投影レンズ系２１の光学レンズ２１１，光学レンズ２１２，光学レンズ２１３，光学レンズ２１４を介して反射光学素子１５Ｂに入射される。その入射した光の一部分が半透過反射面１５ｔで反射されて下方向にスポット光ＬＳとして射出され、入射光の他の部分は半透過反射面１５ｔを透過して、反射光学素子１６の反射面１６ｋで、投影レンズ系２１の光軸に対して異なる方向に反射される。
反射光学素子１５Ｂの半透過反射面１５ｔの透過率および反射率は、照明ユニット１０Ｂの使用環境に応じて適宜設定される。
【００４５】
図１２に示した例では、反射光学素子１６は、反射光学素子１５Ｂで反射された下方向のスポット光ＬＳと略同じ方向に、入射光を反射して光ＬＴを射出するように構成されている。反射光学素子１６から射出された光ＬＴは、光拡散照明部により拡散光として照射される。この場合、光源１から、集光レンズ系１１、反射光学素子１２、投影フィルム１３、投影レンズ系２１、反射光学素子１５Ｂ、反射光学素子１６を介して出射された光ＬＴは、光拡散照明部により拡散光となるので、この拡散光では、投影フィルム１３の被投影画像が結像しない。
【００４６】
図１３は照明ユニット１０Ｂの他の一例を示す斜視図である。図１４は図１３の照明ユニット１０Ｂの上面図である。図１５は図１３の照明ユニット１０Ｂを説明するための図である。図１６は図１３の照明ユニット１０Ｂの一部断面図である。尚、図１３において、投影レンズ系２１などを図示していない。
【００４７】
図１３，１４，１５，１６に示した例では、反射光学素子１６は、反射光学素子１５Ｂからの入射光を、投影レンズ系２１の光軸ＡＸの軸方向に直交する方向、且つ、反射光学素子１５Ｂから射出されるスポット光ＬＳの射出方向に直交する方向に反射して、光ＬＴを射出する。反射光学素子１６から射出された光ＬＴは、光拡散照明部３１により拡散され、光拡散照明部３１から拡散光ＬＤが照射される。この場合、照射ユニットにおいて、反射光学素子１６から射出された光ＬＴは光拡散照明部３１で結像されない。
【００４８】
上記本実施形態では、照明ユニット１０Ｂは、光源からの光を導光する光学系を支持する筒部材１８と、上記反射光学素子１５Ｂ、反射光学素子１６などを有する。照明ユニット１０Ｂは、反射光学素子１５Ｂ、反射光学素子１６により、投射系２としての投影レンズ系２１を介した光の一部分を屈曲させて車両ドアの下方に導きスポット光ＬＳとして射出するとともに、他の光を透過して筒部材１８の近傍に設けられた照射系３の光拡散照明部３１に導くように構成されている。
すなわち、光源１からの光の一部分をスポット光ＬＳとして車両ドアの下方に投射する投射系２と、光源１からの光の他の部分を他方向に照射する照射系３を備えた照射ユニットを簡単な構成で実現することができる。
【００４９】
図１７は本発明の第３実施形態に係る照明ユニット１０Ｃの一例を示す斜視図である。詳細には、図１７は、照明ユニット１０Ｃの導光部５５側から視認した斜視図である。図１８は照明ユニット１０Ｃのスポット光射出側から視認した斜視図である。図１９は照明ユニット１０Ｃの照射系の光拡散照明部５３１側からの視認した斜視図である。図２０は照明ユニット１０Ｃの模式図である。図２１は照明ユニット１０Ｃの透過斜視図である。図２２は照明ユニット１０Ｃを装着した車両ドアの一例を示す断面図である。
【００５０】
照明ユニット１０Ｃは、光源からの光の一部分をスポット光として射出する投射系２と、光源からの光の一部分を光拡散照射部により拡散光として照射させる光学系と、光源からの光の他の部分を車両ドアのドアポケット１０５や収納ポケットなどの内装部材に照射する導光部５５と、を有する。
【００５１】
本実施形態では、照明ユニット１０Ｃは、本体部５０１とケース５０を有する。ケース５０は、円筒形状に形成されており、ＬＥＤなどの光源１を備えた基板１８１を有する。また、ケース５０は内部に集光レンズなどの光学レンズ系５１を備えていてもよい。
【００５２】
本体部５０１は、略直方体形状に形成されており、スポット光ＬＳを射出する射出部を備えた面に、フィルムカートリッジ１４を着脱可能な孔部が形成されている。また、本体部５０１において、スポット光ＬＳを射出する射出部を備えた面の隣の面に、拡散光ＬＥを出力する光拡散照明部５３１が形成されている。また、本体部５０１において、光拡散照明部５３１を形成した面の隣の面に、光源からの光の一部分を車両ドア１０１のドアポケット１０５などに照射光ＬＣを照射する導光部５５が形成されている。
【００５３】
本体部５０１の内部には、ケース５０側に開口部を有する有底筒状の遮蔽部材５０２が備えられている。遮蔽部材５０２の開口部側には、投影フィルム１３を収容したフィルムカートリッジ１４が着脱自在に配置されている。
遮蔽部材５０２の内部には、プリズムや半透過反射ミラーなどの反射光学素子５２，５３が配置されている。
また、本体部５０１の容器と遮蔽部材５０２との間には、プリズムや反射ミラーなどの反射光学素子５４が配置され、反射光学素子５４の近傍に、例えば、半円柱形状の導光部５５が配置されている。
【００５４】
光源１から射出された光の一部分は、集光レンズなどの光学レンズ系５１、投影フィルム１３を介して、反射光学素子５２に入射される。反射光学素子５２に入射された光の一部分は、半透過反射面５２ｔにより、光学レンズ系５１の光軸と異なる方向、本実施形態では、光学レンズ系５１の光軸に対して直角方向に反射され、筒部材５６内の投影レンズ系を介してスポット光ＬＳとして射出される。そして、投影フィルム１３の被投影画像が路面などに結像される。
【００５５】
また、反射光学素子５２に入射された光の一部分は、半透過反射面５２ｔを透過して、反射光学素子５３に入射される。反射光学素子５３に入射した光は、反射光学素子５３の反射面５３ｋにより、光学レンズ系５１の光軸と異なる方向、本実施形態では、光学レンズ系５１の光軸に対して直角方向、且つ、スポット光ＬＳの射出方向に対して直角方向に射出される。
反射光学素子５３から射出された光は、光拡散照明部５３１で拡散され、光拡散照明部５３１の照射面から拡散光ＬＥとして照射される。
【００５６】
また、光源１から射出された光の一部分は、反射光学素子５４に入射される。反射光学素子５４に入射した光は、反射面５４ｋにより、光学レンズ系５１の光軸と異なる方向、本実施形態では、スポット光ＬＳの射出方向の逆方向に反射され、導光部５５に入射される。導光部５５は照射光ＬＣを照射する。
【００５７】
図２２に示した例では、内装部材としてのドアポケット１０５の側面または底面に透光部１０５ｈが形成されている。この透光部１０５ｈは、孔部であってもよいし、光を透過する材料で構成されていてもよいし、光を透過する程度に薄い厚みの部分であってもよい。照明ユニット１０Ｃは、内装部材としてのドアポケット１０５の近傍に配置されている。導光部５５からの照射光ＬＣは、内装部材としてのドアポケット１０５の透光部１０５ｈから、ドアポケット１０５の内部を照らす。
また、光拡散照明部５３１からの拡散光ＬＥは、本体部５０１の近傍に設けられた光拡散照明部３１により拡散され、拡散光ＬＤとして照射される。
【００５８】
上記本実施形態の照明ユニット１０Ｃは、光源１からの光の一部分をスポット光ＬＳとて射出し、路面などに文字や画像などの情報を結像する投射系２と、光源１からの光の一部分を光拡散照明部５３１により拡散光ＬＥとして照射させる照射系３の光学系と、光源１からの光の他の部分を車両ドアのドアポケット１０５や収納ポケットなどの内装部材に照射する照射系３の導光部５５と、を有する。
このため、一つの光源１からの光を、ドアポケット１０５などの車両ドアの内装部材を照らすとともに、文字や画像などの情報を路面などに投影し、且つ、両ドアのドアポケット１０５や収納ポケットなどの内装部材を照射する照明ユニット１０Ｃを提供することができる。
【００５９】
また、本実施形態では、上述したように、反射光学素子５２，５３，５４、導光部５５などにより、上記光学系を構成したので、小型の照明ユニット１０Ｃを提供することができる。
また、一つの光源を備えるので、比較的小さい消費電力の照明ユニット１０Ｃを提供することができる。
【００６０】
以上、説明したように、本発明に係る車両ドア１０１に装着される照明ユニットは、光源１と、光源１からの光の一部分を車両ドア１０１の下方に投射する投射系２と、光源１からの光の他の部分を他方向に照射する照射系３と、を有する。
このため、車両ドア開放時、簡単な構造で、一つの光源からの光により、路面などを照射するとともに他の部分を照射することができる照明ユニットを提供することができる。
【００６１】
また、本発明の実施形態に係る照明ユニットは、投影可能な被投影画像を有する投影フィルムを有し、投射系２は、光源１から投影フィルム１３を介した光の一部分を導光して、車両ドアの下方に被投影画像を投影して結像させる投影レンズ系２１などの投影光学系を有する。
このため、車両ドア開放時に、路面を照らすだけでなく、文字、画像、ロゴ、模様、色、情報などを路面などに投影して結像させる、簡単な構成の照明ユニットを提供することができる。また、本発明に係る照明ユニットは、車両ドア開放時に、娯楽性を有する文字、画像、ロゴ、模様、色などの情報を路面などに投影させることもできる。
【００６２】
また、本発明の実施形態に係る照明ユニットの照射系３は、車両ドアの側面に設けられ、光源１からの光を拡散する光拡散照明部３１を有する。このカーテシランプとしての光拡散照明部３１は、車両ドア開放時、乗降者の足元の路面や地面などを照らすとともに、車両後方にドアの開放を報知する。
【００６３】
また、本発明の実施形態に係る照明ユニットは、光源１からの光を導光する光学系（投影レンズ系２１など）を支持する筒部材１８を有する。筒部材１８は、光学系の光軸の側方側の面に設けられた透光部１８ｓを有する。照射系３の光拡散照明部３１は、透光部１８ｓの近傍に設けられ、筒部材１８の透光部１８ｓを介した光を拡散して拡散光を照射する。
この場合、照明ユニットは小型に形成することができる。また、照明ユニットの筒部材１８内部での光エネルギーのロスが小さい。
【００６４】
また、上述した本発明の照明ユニットを備えた車両ドアを提供することができる。
また、その車両ドアを備えた車両を提供することができる。
【００６５】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６６】
上記実施形態では、照明ユニットの光拡散照明部は、アームレストの側面側および下面側に設けられていたが、この形態に限られるものではない。例えば、光拡散照明部は、アームレストの側面側または下面側のみに設けられていてもよい。
【００６７】
また、上記実施形態では、投影フィルム１３を設けたが、この形態に限られるものではない。例えば、照明ユニット１０は投影フィルム１３を備えずに、光源１からの光を投影レンズ系２１を介して路面などにスポット光を投射するように構成されていてもよい。
【００６８】
また、照明ユニットは、光拡散照明部などの照射系を備えず、投射系のみであってもよい。
【００６９】
また、上記実施形態では、鏡筒である筒部材１８に、反射光学素子１２、反射光学素子１５を設け、投影レンズ系２１の光軸ＡＸに直交する方向の長さを比較的短い態様であったが、この形態に限られるものではない。例えば、照明ユニット１０は、反射光学素子１２または反射光学素子１５を備えていてよい。また、照明ユニット１０は、反射光学素子１２，反射光学素子１５を備えていなくともよい。
【００７０】
照明ユニットは、車両ドアとして、スライドドアやバックドアなどに装着されていてもよい。
【００７１】
また、コンピュータの画像作成プログラムにより被投影画像が作成され、プリンタにてフィルムに被投影画像を印刷することで、被投影画像を有する投影フィルムが作成されてもよい。
【００７２】
左ドア用照明ユニットに用いるフィルムカートリッジと、右ドア用照明ユニットに用いるフィルムカートリッジは、互いに色や形状を異なるように形成されていてもよい。こうすることで、左ドア用または右ドア用であるかを容易に認識することができる。
【符号の説明】
【００７３】
１…光源、２…投射系、３…照射系、４…フィルムカートリッジ、１０，１０Ｂ，１０Ｃ…照明ユニット、１１…集光レンズ系、１２…反射光学素子、１３…投影フィルム、１４…フィルムカートリッジ、１５，１５Ｂ…反射光学素子、１６…反射光学素子、１８…筒部材、１８ｓ…透光部、１８ｔ…遮光部、２１…投影レンズ系、３１…光拡散照明部、３２…支持部、３３（３３ａ，３３ｂ）…係合部、１００…車両、１０１…車両ドア、１０２…ドアトリム、ＬＤ…拡散光、ＬＳ…スポット光。
【図１】
2015221657.tif 000003
【図２】
2015221657.tif 000004
【図３】
2015221657.tif 000005
【図４】
2015221657.tif 000006
【図５】
2015221657.tif 000007
【図６】
2015221657.tif 000008
【図７】
2015221657.tif 000009
【図８】
2015221657.tif 000010
【図９】
2015221657.tif 000011
【図１０】
2015221657.tif 000012
【図１１】
2015221657.tif 000013
【図１２】
2015221657.tif 000014
【図１３】
2015221657.tif 000015
【図１４】
2015221657.tif 000016
【図１５】
2015221657.tif 000017
【図１６】
2015221657.tif 000018
【図１７】
2015221657.tif 000019
【図１８】
2015221657.tif 000020
【図１９】
2015221657.tif 000021
【図２０】
2015221657.tif 000022
【図２１】
2015221657.tif 000023
【図２２】
2015221657.tif 000024